(57)【要約】カバー開閉装置（１００）は、カバー部（１１０）と、回転軸（Ｘ）と、複数の係止部（１２０）とを備える。カバー部（１１０）は、本体部（２）の開口（２３）を覆う。回転軸（Ｘ）は、カバー部（１１０）が第１位置と第２位置とに回動するように本体部（２）に連結する。複数の係止部（１２０）は、カバー部（１１０）を第１位置に係止する。第１位置は、カバー部（１１０）が開口（２３）を覆う位置を示す。第２位置は、カバー部（１１０）が開口（２３）を覆わない位置を示す。カバー部（１１０）が複数の係止部（１２０）のうち少なくとも１つの係止部（１２０）が係止されていない場合、カバー部（１１０）が第１位置から第２位置に回動する。
2019216344.tif 000002
【特許請求の範囲】
【請求項１】
本体部の開口を覆うカバー部と、
前記カバー部が第１位置と第２位置とに回動するように前記本体部に前記カバー部を連結する回転軸と、
前記カバー部を前記第１位置に係止する複数の係止部と
を備え、
前記第１位置は、前記カバー部が前記開口を覆う位置を示し、
前記第２位置は、前記カバー部が前記開口を覆わない位置を示し、
前記複数の係止部のうちの少なくとも１つの係止部が前記カバー部を係止していない場合、前記カバー部は前記第１位置から前記第２位置に回動する、カバー開閉装置。
【請求項２】
前記カバー部の重心は、前記回転軸よりも前記本体部の外側に位置する、請求項１に記載のカバー開閉装置。
【請求項３】
前記カバー部が前記第２位置の方向に回動する力は、前記複数の係止部の各々が前記カバー部を前記本体部に係止する力よりも大きい、請求項１に記載のカバー開閉装置。
【請求項４】
前記カバー部を前記第２位置の方向に付勢する付勢部をさらに備える、
請求項１に記載のカバー開閉装置。
【請求項５】
前記複数の係止部の各々は、前記本体部に向かって突出する突起体と、前記突起体を保持する保持部とを備え、
前記保持部は、前記本体部に対向する辺を備え、
前記辺の端部は切り欠かれている、請求項１に記載のカバー開閉装置。
【請求項６】
前記複数の係止部の各々は、前記カバー部に対で設けられ、
一方の係止部の前記突起体から他方の係止部の前記辺までの長さは、前記開口の幅の長さよりも短い、請求項５に記載のカバー開閉装置。
【請求項７】
前記カバー部は、突片を備え
前記付勢部は、前記突片を前記第２位置の方向へ付勢するバネと、前記突片が前記バネに当接するように前記突片を案内するスリットとを有する、請求項４に記載のカバー開閉装置。
【請求項８】
前記カバー部は、第１カバー面と第２カバー面とを備え、
前記第１カバー面は、前記回転軸よりも前記本体部の外側に位置し、
前記第２カバー面は、前記第１カバー面から前記回転軸まで延設される、請求項１に記載のカバー開閉装置。
【請求項９】
請求項１に記載のカバー開閉装置と、
開口を有する本体部とを備える、画像形成装置。
【発明の詳細な説明】
【技術分野】
【０００１】
本発明は、カバー開閉装置及び画像形成装置に関する。
【背景技術】
【０００２】
従来、片閉まりを防止する画像形成装置が提供されている。このような画像形成装置として、特許文献１に記載の画像形成装置は、カバーと、複数のロック爪とを備える。カバーは、装置の下辺近傍を中心に回動し開閉する。ロック爪は、カバーの中央部位と、カバーの端部近傍とに配置される。中央位置に配置されたロック爪は、他のロック爪がロック位置に達するよりも後にロック位置に達するように、中央位置に配置されたロック爪がロック位置に達する時期をずらす。検知手段は、カバーが閉塞されていることを検知する。特許文献１に記載の画像形成装置は、中央位置に配置されたロック爪が、他のロック爪がロック位置に達するよりも後にロック位置に達するように、中央位置に配置されたロック爪がロック位置に達する時期をずらすことでカバーが全てのロック爪で固定される。
【先行技術文献】
【特許文献】
【０００３】
【特許文献１】特開２０００−９８６８１号公報
【発明の概要】
【発明が解決しようとする課題】
【０００４】
しかしながら、特許文献１に記載の画像形成装置では、全てのロック爪がロック位置に達してカバーを閉塞できるが、片閉まりが発生した場合に片閉まりを解消できなかった。【０００５】
本発明は上記課題に鑑みてなされたものであり、片閉まりを解消できるカバー開閉装置及び画像形成装置を提供することを目的とする。
【課題を解決するための手段】
【０００６】
本発明に係るカバー開閉装置は、カバー部と、回転軸と、複数の係止部とを備える。前記カバー部は、本体部の開口を覆う。前記回転軸は、前記カバー部が第１位置と第２位置とに回動するように前記本体部に連結する。前記複数の係止部は、前記カバー部を前記第１位置に係止する。前記第１位置は、前記カバー部が前記開口を覆う位置を示す。前記第２位置は、前記カバー部が前記開口を覆わない位置を示す。前記複数の係止部のうちの少なくとも１つの係止部が前記カバー部を係止していない場合、前記カバー部は前記第１位置から前記第２位置に回動する。【０００７】
本発明に係る画像形成装置は、カバー開閉装置と開口を有する本体部とを備える。
【発明の効果】
【０００８】
本発明によれば片閉まりを解消できる。
【図面の簡単な説明】
【０００９】
【図１】本発明の実施形態１に係るカバー開閉装置を備える画像形成装置を示す図である。
【図２】開口を覆うカバー開閉装置を示す図である。
【図３Ａ】図２に示すカバー開閉装置のＩＩＩａ−ＩＩＩａ断面を示す図である。
【図３Ｂ】図２に示すカバー開閉装置のＩＩＩｂ−ＩＩＩｂ断面を示す図である。
【図４Ａ】カバー部を第１位置に変更した図である。
【図４Ｂ】カバー部を第２位置に変更した図である。
【図５】カバー部の側面の模式的断面図である。
【図６】従来のカバー開閉装置を示す図である。
【図７】付勢部を示す図である。
【図８Ａ】カバー部が開口を閉塞する前を示す図である。
【図８Ｂ】カバー部が開口を閉塞した状態を示す図である。
【図９Ａ】本発明の実施形態２に係るカバー部が本体部に係止された状態を示す。
【図９Ｂ】本実施形態２に係るカバー部が本体部に係止されていない状態を示す。
【図１０】本発明の実施形態３に係るカバー部を示す図である。
【発明を実施するための形態】
【００１０】
以下、本発明の実施形態について、図面を参照しながら説明する。なお、図中、同一または相当部分については同一の参照符号を付して説明を繰り返さない。
【００１１】
（実施形態１）
図１を参照して、本発明の実施形態であるカバー開閉装置１００について説明する。図１は、実施形態１に係るカバー開閉装置１００を備える画像形成装置１を示す。図１に示すように、画像形成装置１は、本体部２と、カバー開閉装置１００とを備える。
【００１２】
本体部２は、上面２１と、前面２２と、開口２３と、側面２４とを有する。上面２１は、本体部２の上方を覆う。上面２１には、排出トレイ３と、操作パネル１０とが配置される。排出トレイ３は、排出されたシートを載置する。操作パネル１０は、画像形成装置１に対するユーザーからの指示を受け付ける。前面２２は、本体部２の前方の一部を覆う。開口２３は、本体部２の前面２２に位置する。開口２３は、本体部２の内部と本体部２の外部とを連通する。開口２３は、本体部２の内部における一方の側面２４から他方の側面２４の間の空間である。側面２４は、本体部２の側方を覆う。
【００１３】
また、本体部２は、給送部（図示せず）と、搬送部（図示せず）と、画像形成部（図示せず）と、定着部（図示せず）と、排出部（図示せず）とを内部に収容する。給送部は、シートを搬送部へ案内する。搬送部は、画像形成部に向けてシートを搬送する。画像形成部は、シートに画像を形成する。排出部は、シートを排出トレイ３へ排出する。
【００１４】
カバー開閉装置１００は、開口２３を開閉する。具体的には、カバー開閉装置１００は、開口２３を閉塞し、開口２３を開放する。
【００１５】
次に、図２と図３Ａと図３Ｂとを参照して、カバー開閉装置１００を詳しく説明する。図２は、開口２３を覆うカバー開閉装置１００を示す。図３Ａは、図２に示すカバー開閉装置１００のＩＩＩａ−ＩＩＩａ断面を示す。図３Ｂは、図２に示すカバー開閉装置１００のＩＩＩｂ−ＩＩＩｂ断面を示す。
【００１６】
図３Ａに示すように、カバー開閉装置１００は、カバー部１１０と、係止部１２０と、回転軸Ｘとを備える。
【００１７】
カバー部１１０は、開口２３を開閉する。カバー部１１０は、本体部２の開口２３を覆う。カバー部１１０は、本体部２の前面２２に配置される。
【００１８】
係止部１２０は、カバー部１１０を本体部２に係止する。係止部１２０は、カバー部１１０の端部に配置される。係止部１２０は、カバー部１１０に複数配置される。係止部１２０は、カバー部１１０に２つ配置される。係止部１２０は、本体部２の側面２４の近傍に配置される。
【００１９】
図３Ａに示すように、係止部１２０は、突起保持部１２１と、突起体１２２とを備える。突起保持部１２１は、突起体１２２を保持する。突起保持部１２１は、「保持部」の一例に相当する。突起保持部１２１は、図３Ｂに示すように、第１壁部１２３と、第２壁部１２５と、圧縮ばね１２４とを有する。また、図３Ｂに示す本体部２の側面２４は、係止孔２４１を備える。係止孔２４１は、本体部２の外側と内側とを連通する。
【００２０】
第１壁部１２３は、本体部２の側面２４と対向する。第１壁部１２３は、「本体部２に対向する辺」に相当する。第１壁部１２３は、本体部２の側面２４に沿う。第１壁部１２３は、開口２３側に向かってカバー部１１０から突出する。第１壁部１２３は、貫通孔を有する。
【００２１】
第２壁部１２５は、第１壁部１２３と対向する。第２壁部１２５は、本体部２の側面２４に沿う。第２壁部１２５は、開口２３側に向かってカバー部１１０から突出する。第２壁部１２５は、圧縮ばね１２４を保持する保持部を有する。
【００２２】
圧縮ばね１２４は、突起体１２２を押圧する。圧縮ばね１２４は、圧縮された状態で第１壁部１２３と第２壁部１２５との間に位置する。圧縮ばね１２４は、第２壁部１２５の保持部に保持される。
【００２３】
突起体１２２は、本体部２に向かって突出する。具体的には、突起体１２２は、係止孔２４１にむかって突出する。突起体１２２は、突起部とフランジ部とを有する。突起部は、突起部の頂点部からフランジ部にかけて傾斜面を有する。フランジ部は、第１壁部１２３の貫通孔より大きい。
【００２４】
また、突起体１２２を貫通孔に挿入する場合は、第１壁部１２３と第２壁部１２５との間に突起体１２２を位置させる。そして突起部を貫通孔に挿入し、フランジ部が第１壁部１２３に接触するまで突起部を挿通させる。この結果、フランジ部によって突起体１２２が突起保持部１２１から脱落することを抑制できる。
【００２５】
また、突起体１２２は、圧縮ばね１２４に押圧される。このため、突起体１２２は、本体部２の側面２４に向かって付勢される。突起体１２２が側面２４の方向から押圧された場合、突起体１２２は、第２壁部１２５の方向へ移動する。そして、突起体１２２が側面２４の方向から押圧されなくなった場合、突起体１２２は、側面２４の方向へ移動する。また、突起体１２２は、突起体１２２の傾斜面が押圧された場合も、第２壁部１２５の方向へ移動する。
【００２６】
回転軸Ｘは、カバー部１１０を回動可能に支持する。回転軸Ｘは、カバー部１１０を本体部２に回転可能に連結する。回転軸Ｘは、係止部１２０よりも本体部２の前面２２から遠い位置に配置される。
【００２７】
次に、図３Ａと図３Ｂと図４Ａと図４Ｂとを参照して、カバー部１１０が第１位置にある場合と、カバー部１１０が第２位置にある場合とを説明する。図４Ａは、カバー部１１０を第１位置に変更した図である。図４Ｂは、カバー部１１０を第２位置に変更した図である。回転軸Ｘは、カバー部１１０が第１位置と第２位置とに回動するように本体部２にカバー部１１０を連結する。第１位置は、カバー部１１０が開口２３を覆う位置である。係止部１２０は、カバー部１１０を第１位置に係止する。つまり、第１位置のカバー部１１０は、２つの係止部１２０によって本体部２の係止孔２４１に係止される。第２位置は、カバー部１１０が開口２３を覆わない位置である。第２位置のカバー部１１０は、２つの係止部１２０によって本体部２に係止されない。
【００２８】
カバー部１１０が第１位置に変更された場合、本体部２の内部へのアクセスを防止できる。例えば、画像形成装置１が動作中に本体部２の内部へアクセスすることを防止できる。また、カバー部１１０が第２位置に変更された場合、開口２３を介して本体部２の内部にアクセスすることができる。ユーザーは、カバー部１１０を開けて、装置のメンテナンス作業を行う。装置のメンテナンス作業は、例えば、トナーコンテナの交換、画像形成部の交換、定着部の交換、及びＪＡＭ処理を示す。
【００２９】
次に、図４Ａと図４Ｂと図５とを参照してカバー部１１０の重心Ｇを説明する。図５は、カバー部１１０の側面の模式的断面図である。重心Ｇは、カバー部１１０の重心の位置を示す。図５は、回転軸Ｘとカバー部１１０とを示す。図５に示すように、カバー部１１０は、第１位置に位置する。
【００３０】
また、カバー部１１０は、第１カバー面１１１と第２カバー面１１２とを備える。第１カバー面１１１は、回転軸Ｘよりも本体部２の外側に位置する。具体的には、第１カバー面１１１は、回転軸Ｘよりも本体部２の外側に位置し、前面２２の鉛直方向に沿って配置される。第２カバー面１１２は、第１カバー面１１１から延設される。具体的には、第２カバー面１１２は、第１カバー面１１１から回転軸Ｘまで開口２３の内側に向かって延設される。第１カバー面１１１が、前面２２の鉛直方向に沿って配置され、第２カバー面１１２が開口２３の内側に向かって延設されるため、第１カバー面１１１と第２カバー面１１２との境界が屈曲する。このためカバー部１１０は、Ｌ字状である。第１カバー面１１１が回転軸Ｘよりも外側に位置するため、カバー部１１０は回転軸Ｘを中心に第１位置から第２位置の方向に回動することが容易となる。
【００３１】
カバー部１１０の重心Ｇの位置は、第１カバー面１１１の重心ｇ１と第２カバー面１１２の重心ｇ２から算出できる。第１カバー面１１１は、所定の厚みの板状の部材である。第１カバー面１１１の重量は、重量Ｗ１である。第１カバー面１１１の重心ｇ１は、例えば、辺ＡＢの中点に位置する。第２カバー面１１２は、所定の厚みの板状の部材である。第２カバー面１１２の重量は、重量Ｗ２である。第２カバー面１１２の重心ｇ２は、例えば、辺ＢＣの中点に位置する。
【００３２】
カバー部１１０の重心Ｇは、第１カバー面１１１の重心ｇ１と第２カバー面１１２の重心ｇ２とを結ぶ線分上に存在する。また、重心Ｇと重心ｇ１とを結ぶ線分Ｇｇ１の長さと重心Ｇと重心ｇ２を結ぶ線分Ｇｇ２の長さとの比は、第２カバー面１１２の重量Ｗ２と第１カバー面１１１の重量Ｗ１との比と同じである（線分Ｇｇ１：線分Ｇｇ２＝重量Ｗ２：重量Ｗ１）。したがって、重心ｇ１と重心ｇ２とを結んだ線分を、重量Ｗ２と重量Ｗ１との比になるように内分する点が重心Ｇである。また、重量Ｗ１は、辺ＡＢの長さに比例する。また、重量Ｗ２は、辺ＢＣの長さに比例する。したがって、線分Ｇｇ１と線分Ｇｇ２との比は、辺ＢＣと辺ＡＢとの比と一致する。
【００３３】
図５に示すように、カバー部１１０の重心Ｇは回転軸Ｘよりも本体部２の外側に位置する。具体的には、重心Ｇは回転軸Ｘよりも本体部２の前面２２側に位置する。重心Ｇが回転軸Ｘよりも本体部２の前面２２側に位置するため、カバー部１１０は回転軸Ｘを中心に第１位置から第２位置の方向に回動する。また、重心Ｇとカバー部１１０の自重とは、カバー部１１０が第２位置の方向に回動する力を発生させる。この結果、カバー部１１０は第２位置方向に回動し、開口２３を開放できる。
【００３４】
また、複数の係止部１２０のうち少なくとも１つの係止部１２０がカバー部１１０を係止していない場合、カバー部１１０が第１位置から第２位置方向に回動してもよい。例えば、２つの係止部１２０のうち１つの係止部１２０がカバー部１１０を本体部２に係止していない場合、カバー部１１０は第１位置から第２位置方向に回動する。この場合、１つの係止部１２０は、カバー部１１０の第２位置方向へ回動する力に対抗できない。係止部１２０の突起体１２２は、カバー部１１０が第２位置方向へ回動する力を突起体１２２の傾斜面で受ける。傾斜面で受けた力は圧縮ばね１２４に伝達される。カバー部１１０が第２位置の方向へ回動する力は、圧縮ばね１２４が突起体１２２を押圧する力より大きい。つまり、カバー部１１０が第２位置の方向へ回動する力は、複数の係止部１２０の各々がカバー部１１０を本体部２に係止する力よりも大きい。このため、１つの係止部１２０では、カバー部１１０が第２位置の方向へ回動する力に対抗することができない。つまり、カバー部１１０は、１つの係止部１２０では本体部２に係止されない。したがって、突起体１２２は第２壁部１２５の方向へ移動する。この結果、カバー部１１０の片閉まりが発生しても片閉まりを解消できる。また、カバー部１１０が第２位置の方向に回動して開口２３が開放されるので使用者はカバー部１１０が正しく閉じられていないことを容易に知ることができる。なお、２つの係止部１２０でカバー部１１０が本体部２に係止されたときに、第１位置にカバー部１１０が位置する。
【００３５】
図６を参照してカバー部１１０の片閉まりが発生する場合を説明する。図６は、従来のカバー開閉装置１００を示す図である。図６に示す従来のカバー開閉装置１００は片閉まりを起こした状態である。片閉まりが発生した場合、２つの係止部１２０の内、１つの係止部１２０が側面２４の係止孔２４１（図３を参照）に係止されない。片閉まりは、長さＬ１より長いカバー部１１０の一部分が本体部２の開口２３に入り込むことで発生する。長さＬ１は、開口２３の幅の長さである。長さＬ１は、本体部２の内部における一方の側面２４から他方の側面２４までの長さと等しい。カバー部１１０の一部分は、一方の係止部１２０の突起体１２２から他方の係止部１２０の第１壁部１２３の端部ａまでの部分である。また、一方の係止部１２０の突起体１２２から他方の係止部１２０の第１壁部１２３の端部ａまでの長さは、長さＬ２である。また、長さＬ２は、長さＬ１よりも長い。
【００３６】
また、カバー部１１０は第１位置に移動させる際に撓むことがある。撓んだカバー部１１０の一方の係止部１２０の突起体１２２から他方の係止部１２０の第１壁部１２３の端部ａまでの長さは、長さＬ１よりも短くなる。このため、一方の係止部１２０の突起体１２２から他方の係止部１２０の第１壁部１２３の端部ａまでが本体部２の開口２３に入り込む。そして、一方の係止部１２０の突起体１２２が、係止孔２４１（図３を参照）に係止され、カバー部１１０の他方の係止部１２０の第１壁部１２３の端部ａが側面２４に当接する。この結果、カバー部１１０の片閉まりが発生する。片閉まりが発生すると、画像形成装置１は、動作不良、異音及び破損などの不具合が発生する。また、画像形成装置１が検知部を備える場合、片閉まりが発生すると、カバー部１１０が閉じた状態であると誤って検知する。画像形成装置１がカバー部１１０は閉状態であると誤って検知した場合、動作不良などの不具合が発生する。
【００３７】
しかし、本発明のカバー開閉装置１００は、カバー部１１０が一時的に片閉まりとなっても、１つの係止部１２０ではカバー部１１０の第２位置方向へ回動する力に対抗できない。このため、突起体１２２が第２壁部１２５側へ移動する。この結果、第１壁部１２３の端部ａと本体部２の側面２４との当接が解除される。そして、カバー部１１０は、第２位置の方向に回動する。したがって、カバー部１１０が片閉まりしても片閉まりを解消できる。また、カバー部１１０が第２位置の方向に回動して開口２３を開放するので、使用者はカバー部１１０が正しく閉じられていないことを容易に知ることができる。
【００３８】
次に、図７と図８Ａと図８Ｂとを参照して付勢部３０を説明する。図７は、付勢部３０を示す。図８Ａは、カバー部１１０が開口２３を閉塞しない状態を示す。図８Ｂは、カバー部１１０が開口２３を閉塞した状態を示す。カバー開閉装置１００は付勢部３０をさらに備える。付勢部３０は、カバー部１１０を第２位置の方向に付勢する。付勢部３０は、側面２４に設けられる。付勢部３０は、係止孔２４１の上部に位置する。付勢部３０は、バネ保持部３１０と突片保持部３２０とを備える。
【００３９】
バネ保持部３１０は、バネを保持する。バネ保持部３１０は、ねじりバネ３１１と、天井壁と、底壁と、側壁とを備える。天井壁は、固定部３１２を備える。側壁は、長孔３１３を備える。
【００４０】
ねじりバネ３１１は、カバー部１１０を第２位置の方向に付勢する。ねじりバネ３１１は、コイル部３１１ａとアーム部３１１ｂとを備える。コイル部３１１ａは、固定部３１２に取付けられる。アーム部３１１ｂは、カバー部１１０と当接する。アーム部３１１ｂは、長孔３１３から突出する。アーム部３１１ｂは、本体部２の前後方向に移動する。
【００４１】
固定部３１２は、コイル部３１１ａを固定する。固定部３１２は、天井壁から底壁に向かって突出する。固定部３１２は、コイル部３１１ａの内側に位置する。固定部３１２は、アーム部３１１ｂが所定の位置でカバー部１１０と当接するようにコイル部３１１ａを固定する。
【００４２】
長孔３１３は、突片保持部３２０とバネ保持部３１０とを連通する。長孔３１３は、本体部２の前後方向に開口する。長孔３１３には、アーム部３１１ｂが挿通される。
【００４３】
突片保持部３２０は、側壁と、底壁と、天井壁とを備える。側壁には、長孔３１３が位置する。底壁は、スリットを含む。スリットの上部には、アーム部３１１ｂが位置する。
【００４４】
図８Ａと図８Ｂとに示すように、カバー部１１０は突片１１３をさらに備える。突片１１３は、アーム部３１１ｂに当接する。突片１１３は、突片保持部３２０のスリットに位置する。スリットは、突片１１３がアーム部３１１ｂに当接するように突片１１３を案内する。したがって、ねじりバネ３１１は突片１１３を本体部２の前方向へ容易に押圧できる。例えば、図８Ａに示すように、２つの係止部１２０によってカバー部１１０が本体部２に係止されない場合、アーム部３１１ｂは突片１１３を本体部２の前方向へ押圧する。アーム部３１１ｂが突片１１３を前方向に押圧することでカバー部１１０が第２位置の方向へ回動する。また、図８Ｂに示すように、２つの係止部１２０によってカバー部１１０が本体部２に係止される場合、突片１１３はアーム部３１１ｂを本体部２の後方向へ押圧する。
【００４５】
カバー部１１０が片閉まりしても付勢部３０によってカバー部１１０の突片１１３が前方向に押圧されるため、カバー部１１０が、第２位置の方向に回動する。この結果、カバー部１１０が片閉まりしても、片閉まりを解消できる。また、カバー部１１０が第２位置の方向に回動して開口２３を開放するので、使用者はカバー部１１０が正しく閉じられていないことを容易に知ることができる。
【００４６】
（実施形態２）
図９Ａと図９Ｂとを参照して、実施形態２に係るカバー開閉装置１００を説明する。図９は、実施形態２に係る係止部１２０を示す図である。図９Ａは、カバー部１１０が本体部２に係止された状態を示す。図９Ｂは、カバー部１１０が本体部２に係止されていない状態を示す。実施形態２に係るカバー開閉装置１００は、係止部１２０の第１壁部１２３の端部ａが切り欠かれている点を除いて、実施形態１に係るカバー開閉装置１００と同様の構成を有するため、重複部分については説明を省略する。
【００４７】
図９に示すように、係止部１２０の第１壁部１２３の端部ａは、切り欠かれている。端部ａが切り欠かれた第１壁部１２３は、第２壁部１２５よりも短い。また、第１壁部１２３の切り欠かれた部分は、カバー部１１０が片閉まりする際に側面２４に当接する部分である。このためカバー部１１０が片閉まりする状況となっても、切り欠かれた第１壁部１２３の端部ａは側面２４に当接しない。この結果、カバー部１１０の片閉まりの発生を抑制できる。また、カバー部１１０は第２位置の方向に回動して開口２３を開放するので、使用者はカバー部１１０が正しく閉じられていないことを容易に知ることができる。
【００４８】
（実施形態３）
図６及び図１０を参照して、実施形態３に係るカバー開閉装置１００を説明する。図１０は、実施形態３に係るカバー部１１０を示す図である。実施形態３に係るカバー部１１０は、一方の係止部１２０の突起体１２２の頂点から他方の係止部１２０の第１壁部１２３までの長さが、長さＬ３となる点と、カバー部１１０の一方の係止部１２０の突起体１２２の頂点から他方の係止部１２０の突起体１２２の頂点までの長さが、長さＬ４となる点と除いて、実施形態１に係るカバー開閉装置１００と同様の構成を有するため、重複部分については説明を省略する。
【００４９】
図１０に示す係止部１２０は、カバー部１１０に対で設けられる。図１０に示す長さＬ３は、図６に示す長さＬ１よりも短い。つまり、長さＬ３は、開口２３の幅の長さより短い。一方の係止部１２０の突起体１２２の頂点から他方の係止部１２０の第１壁部１２３までの長さが、長さＬ３となるため、突起体１２２と第１壁部１２３とは、いずれも本体部２の側面２４に当接しない。また、図１０に示す長さＬ４は、図６に示す長さＬ１よりも長い。つまり、長さＬ４は、開口２３の幅の長さより長い。したがって、カバー部１１０を一方の突起体１２２と他方の突起体１２２とで本体部２に係止される場合にのみ、カバー部１１０が本体部２に係止される。この結果、カバー部１１０は第２位置の方向に回動して開口２３を開放するので、使用者はカバー部１１０が正しく閉じられていないことを容易に知ることができる。
【００５０】
また、カバー開閉装置１００は、画像形成装置１以外のカバー部１１０を開閉する機構を備える装置にも適用できる。
【００５１】
以上、図面（図１〜図１０）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００５２】
本発明は、カバー開閉装置及び画像形成装置の分野に利用可能である。
【図１】
2019216344.tif 000003
【図２】
2019216344.tif 000004
【図３Ａ】
2019216344.tif 000005
【図３Ｂ】
2019216344.tif 000006
【図４Ａ】
2019216344.tif 000007
【図４Ｂ】
2019216344.tif 000008
【図５】
2019216344.tif 000009
【図６】
2019216344.tif 000010
【図７】
2019216344.tif 000011
【図８Ａ】
2019216344.tif 000012
【図８Ｂ】
2019216344.tif 000013
【図９Ａ】
2019216344.tif 000014
【図９Ｂ】
2019216344.tif 000015
【図１０】
2019216344.tif 000016
【国際調査報告】
2019216344.tif 000017
2019216344.tif 000018
2019216344.tif 000019
2019216344.tif 000020